(57)【要約】      （修正有）【課題】フイルタの容易な交換を可能にする空気浄化装置の提供【解決手段】空気浄化装置１は、空気浄化装置を通る空気流を発生するように配設されたファン４を有するファンユニット２と、ファン４により発生された空気流をろ過するように配設されたフイルタ９とを有する。フイルタユニット２は、空気浄化装置１が使用のために配置されたときに、支持面に立設される。この空気浄化装置１は、ファンユニット２をフイルタユニット２に装着させるためのカップリング機構１０を更に有する。カップリング機構１０は、ファンユニット２の互いに対向した外側面に配設された２つの解除手段１１を有し、ファンユニット２は、２つの解除手段１１を駆動させることにより、フイルタユニット２から解除可能である。【選択図】図２
2015150556.tif 000002
【特許請求の範囲】
【請求項１】
空気浄化装置を通る空気流を発生するように配設されたファン（４）を有するファンユニット（２）と、
前記ファンにより発生された空気流をろ過するように配設されたフイルタ（９）を有し、空気浄化装置が使用のために配置されたときに、支持面（２０）上に立設されるフイルタユニット（３）と、
前記ファンユニットをフイルタユニット上に装着させるためのカップリング機構（１０）とを具備し、
前記カップリング機構は、前記ファンユニットの互いに対向した外側面に配設された２つの解除手段を有し、
前記ファンユニットは、前記２つの解除手段を駆動させることにより、フイルタユニットから解除可能である、空気浄化装置（１）。
【請求項２】
前記２つの解除手段は、２つの解除ボタンであり、
前記ファンユニットは、前記２つの解除ボタンを押すことにより、前記フイルタユニットから解除可能である請求項１に記載の空気浄化装置。
【請求項３】
前記２つの解除ボタンは、空気浄化装置内へと内方に押されるように配設されている請求項２に記載の空気浄化装置。
【請求項４】
前記フイルタユニットは、空気浄化装置が使用のために配置されたときに、前記支持面に面するように配設された底壁（８）を有し、
前記ファンユニットの互いに対向した外側面は、前記底壁に対して横方向に延びている、請求項１ないし３のいずれか１に記載の空気浄化装置。
【請求項５】
この空気浄化装置は、箱型形状を有している
請求項１ないし４のいずれか１に記載の空気浄化装置。
【請求項６】
前記カップリング機構は、２対の係合部を有し、各対は、
前記ファンユニット内に設けられ前記解除手段に結合された係合部（１２）と、
前記フイルタユニットに設けられた係合部（１３）とを有し、
各対の係合部は、前記ファンユニットを前記フイルタユニットに装着するように互いに係合し、また前記解除手段を駆動することにより係合が解除されるように配設されている、
請求項１ないし５のいずれか１に記載の空気浄化装置。
【請求項７】
前記フイルタは、前記フイルタユニットの内側面に沿って周方向に延びている請求項１ないし６のいずれか１に記載の空気浄化装置。
【請求項８】
クリーンにされた空気を空気清浄装置の外に排出するための排出部（２２）を更に具備し、この排出部は、前記ファンユニットの頂壁（７）に配設されている、請求項１ないし７のいずれか１に記載の空気浄化装置。
【請求項９】
空気流中の粒子をイオン化するように、前記ファンユニット内に設けられたイオン化装置（４０）を更に具備する請求項１ないし８のいずれか１に記載の空気浄化装置。
【請求項１０】
フイルタユニットは、使い捨て可能なフイルタユニットである請求項１ないし９のいずれか１に記載の空気浄化装置。
【発明の詳細な説明】
【技術分野】
【０００１】
この発明は、一般的に、空気清浄装置の分野に関する。特に、この発明は、交換可能なフイルタを備えた空気清浄装置に関する。
【発明の背景】
【０００２】
空気浄化装置は、汚染物質から部屋内の空気をクリーンにするために使用されている。従来の空気浄化装置は、空気浄化装置を通る空気流を発生させるためのファンと、ファンにより発生された空気流をろ過するように配設されたフイルタとを有している。空気流の空気により運ばれている粒子は、フイルタに付着し、浄化された空気が空気浄化装置から排出される。何度かの使用の後に、フイルタは、粒子により詰まり、空気浄化装置の効率を維持するために新たなフイルタに交換される。
【０００３】
特許文献１は、ファンと、交換可能なフイルタと、フイルタを囲んでフイルタをハウジング装着させるグリルとを収容しているハウジングを有している空気浄化装置を開示している。前記グリルは、ハウジングの上部に配置されているボタンを押すことによりハウジングとの接続が解除され、この結果、使用者は、フイルタを交換できる。前記グリルは、ハウジングから除去されるときに、少し回動されると共にハウジングのベースから持ち上げられる必要がある。
【０００４】
既知の空気浄化装置の問題点は、フイルタの交換が使用者にとって煩雑であり、また、難しいことである。更に、フイルタの交換の難しさは、交換したフイルタを適正に位置させることができないで、空気浄化装置の不適切な機能を奏させるというリスクを与え得る
【先行技術文献】
【特許文献】
【０００５】
【特許文献１】WO9534366
【発明の概要】
【０００６】
上述した欠点を克服もしくは少なくとも軽減した空気清浄装置を達成することが、有効である。特に、空気浄化装置のフイルタの容易な交換を可能にすることが望まれている
これら問題の少なくとも１つをより良く解決するために、独立請求項に記載の特徴を有する空気浄化装置が提供される。
【０００７】
従って、一態様に係れば、空気清浄装置が、提供されている。この空気清浄装置は、この空気清浄装置を通る空気流を発生させるように配設されたファンを有するファンユニットと、前記ファンにより発生された空気流をろ過するように配設されたフイルタを有するフイルタユニットとを具備している。前記フイルタユニットは、空気浄化装置が使用のために配置されたときに、支持面上に立設されるようになっている。また、この空気清浄装置は、更に、ファンユニットをフイルタユニットの上に装着させるためのカップリング機構を有している。このカップリング機構は、前記ファンユニットの互いに対向した外側面に配置された２つの解除手段を有し、ファンユニットは、前記２つの解除手段を駆動することにより、フイルタユニットから解放され得る。
【０００８】
この態様は、空気清浄装置をファンユニットとフイルタユニットとに構造上分ける思想に基づいている。フイルタユニット上へのファンユニットの配置と、ファンユニットの互いに対向した外側面への２つの解除手段（代わって、解除アクチュエータと称される）の配置とは、フイルタユニットからファンユニットを持ち上げるために、使用者が対向した外側面の所でファンユニットを掴むのと同時に解除手段を駆動させることを可能にしている。前記フイルタは、交換フイルタに交換され得る。かくして、フイルタユニットは、使用者による単一の動作（もしくは移動）で、ファンユニットから除去されることができ、空気清浄装置のフイルタの交換が容易である。このような容易なフイルタの交換は、空気清浄装置内ヘのフイルタの正しくない位置づけのリスク、かくして空気清浄装置の損傷のリスクを減じる。例えば、次に、取り外されたファンユニットは、交換するフイルタユニットに装着され得るか、フイルタユニット内のフイルタは、交換用フイルタに交換され得る。
【０００９】
前記支持面は、例えば、床か、使用時に空気清浄装置を支持するための他の面で良い。
【００１０】
この明細書で、「ファンユニットの側面」という用語は、空気清浄装置の頂壁（即ち、上壁）から底壁（即ち、下壁）方向に、所定の方向で延びたファンユニットの横面（例えば、少なくとも１つの側壁により形成されている）を称している。
【００１１】
実施の形態によれば、前記２つの解除手段は、（ファンユニットの対向した外側面に配設されている）解除ボタンで良く、また、ファンユニットは、２つの解除ボタンを押すことによりフイルタユニットから解放され得え、フイルタユニットからのファンユニットの取り外しを容易にしている。実施の形態によれば、前記２つの解除ボタンは、空気清浄装置内に向かって内方に押されるように配設されている。この実施の形態において、使用者により行われる押し動作は、ボタンの解除と、ファンユニットをフイルタユニットから持ち上げるために、ファンユニットを挟む（掴む）こととの両方を果たし、フイルタの交換がより容易になり、使用者にとってすぐに判る。
【００１２】
実施の形態によれば、フイルタユニットは、空気清浄装置が使用のために配置されたときに、支持面と面するように配置される底壁を有し、ファンユニットの互いに対向した外側面が、底壁に対して横方向（少なくともほぼ垂直）に延び得、この結果、ファンユニットの側面を掴むことが容易になると共に、フイルタユニットを交換することが容易になる。例えば、前記対向した外側面は、空気清浄装置が、ほぼ水平な支持面上に置かれたときに、ほぼ垂直な、ファンユニットの側壁の対向した外部分により形成され得る。
【００１３】
実施の形態で、空気清浄装置は、ファンユニットをフイルタユニットの上の正しい位置に置くことを容易にするように、箱型形状を有し得る。例えば、フイルタユニットとファンユニットとの各々は、箱型形状を有し得る。ファンユニットの下方のコーナをフイルタユニットの上方のコーナに合わせることにより、使用者に正しい位置を示し得る。
【００１４】
本明細書において、「箱型形状」という用語は、１つもしくは複数の丸くなったコーナもしくはエッジがあっても無くても良い箱型形状を含み得る。
【００１５】
実施の形態によれば、前記カップリング機構は、２対の係合部を有し得る。各対は、ファンユニット内に設けられ前記解除手段に結合された１つの係合部（この係合部は、ファン側係合部と称され得る）と、フイルタユニットに設けられた１つの係合部（この係合部は、フイルタ側係合部と称され得る）とを有し得る。各対の係合部は、ファンユニットをフイルタユニットに装着するように互いに係合し、また解除手段を駆動することにより係合が解除されるように配設され得る。これら係合部は、ファン用係合部がフイルタ用係合部と係合可能にするような幾何学的形状を有し得る。
【００１６】
実施の形態によれば、フイルタは、比較的広いフイルタ面積を得るように、フイルタユニットの内側面に沿って周方向に延出し得る。この空気清浄装置は、フイルタユニットの周方向から空気を取り入れることができるので、部屋内空気の循環を良くすることができ、部屋全体に渡っての空気の浄化を良くすることができる。
【００１７】
実施の形態によれば、空気清浄装置は、更に、ファンユニットの上部に配設され得て、クリーンにされた空気を空気清浄装置の外に排出するための排出部を有し得る。上壁（側壁の代わり）に排出部があることにより、ファンユニットの側壁は、固く形成され得るので、フイルタユニットの交換のときに、掴かめるようにより固くすることができる。更に、クリーンにされた空気は、空気清浄装置から上方に排出され得るので、支持面からの埃の舞い上がりを減じることができる。
【００１８】
実施の形態によれば、空気清浄装置は、空気流中の粒子をイオン化するように、ファンユニット内に設けられたイオン化装置を有し得る。ファンユニット（フイルタユニットの代わり）内に設けられたイオン化装置により、フイルタが交換される必要があるときに、フイルタユニット全体が交換されることができる。かくして、イオン化装置を有するファンユニットは、他の（新たな）フイルタユニットへと簡単に移動され得て、フイルタの交換がより容易になされる。
【００１９】
実施の形態によれば、フイルタユニットは、使い捨て可能なフイルタユニットで良い。このために、フイルタユニット全体が破棄されて新たなフイルタユニットと交換され得る。
【００２０】
本実施の形態において、空気清浄装置のフイルタの交換は、フイルタユニットからのファンユニット以外の、空気清浄装置の他の部分の取り外し並びに／もしくは分離を必要としない。このために、フイルタの交換が容易である。
【００２１】
本願発明の実施の形態は、請求項に記載の特徴の全ての可能な組合せに関する。
【００２２】
この、また、他の態様は、添付の図面を参照した、以下の限定されない詳細な説明、図により詳細に示されるであろう。
【図面の簡単な説明】
【００２３】
【図１】図１は、空気清浄装置を示す。
【図２】図２は、図１のＡ−Ａ線に沿った断面図である。
【図３】図３は、空気清浄装置のファンダクトとイオン化装置との斜視図である。
【図４】図４は、図３に示されたファンダクトとイオン化装置との上面図である。
【図５】図５は、部屋内で駆動されているときの空気浄化装置を概略的に示す。
【図６】図６は、空気浄化装置のフイルタユニットから分離されたファンユニットを有する図１の空気浄化装置と、空気清浄化装置のカップリング機構の拡大した係合部とを示す。
【図７】図７は、空気浄化装置のカップリング機構の拡大した断面図である。
【図８】図８は、使用者によりフイルタユニットから取り外されたファンユニットを示す。
【発明を実施するための形態】
【００２４】
全ての図は、概略的であり、必要なスケールではなく、実施の形態を説明するために必要な部分のみを、他の部分は省略して、一般的に示している。記載並びに図全体で同じ部材は、同じ参照符号を付している。
【００２５】
図１並びに２は、家屋の部屋のような屋内空間内や同様の内部環境内の空気を浄化するのに適し得る空気浄化装置の一例を示している。この空気浄化装置１は、空気浄化装置１を通る空気流を生じさせるためのファン４と、ファン４により生じた空気流をろ過するフイルタ９とを有し得る。この空気浄化装置１は、更に、ファン４により生じた空気流の空気から発生した粒子をイオン化するためのイオン化装置４０を有し得る。好ましくは、前記フイルタ９は、フイルタ９へのイオン化粒子の付着を促進するポリプロピレンのような誘電剤を含み得る。例えば、フイルタ９は、WO98/50162に記載されているようなフイルタで良い。
【００２６】
この空気浄化装置は、空気浄化装置１が、使用のために支持面２０上に位置されたときに、空気浄化装置１の上方に延びた長（垂直）軸１００を有している。この実施の形態で、空気浄化装置１は、オプションとして少なくとも１つの丸まったエッジを有する箱形状を有し得る。例えば、空気浄化装置１は、図１に示されているように、丸められたコーナを有する（水平面で）正方形の断面を有し得る。空気浄化装置１は、円筒形のような他の形状でも良い。側壁が、上壁２０と、この上壁に面し、好ましくは前記支持面２上に支持される底壁８との間で延出し得る。好ましくは、前記側壁の対向した外側は、互いにほぼ平行であり、底壁８を（垂直となるように）横切っている。
【００２７】
この実施の形態において、空気浄化装置１は、２つの部品、即ち、フイルタユニット３と、ファンユニット２とに構成的に分離され得る。フイルタユニット３には、前記フイルタ９が設けられ、ファンユニット２には、前記ファン４が設けられ得る。ファンユニット２は、フイルタユニット３上に配置され得る。例えば、これらファンユニット２とフイルタユニット３とは、共に箱型形状し、一緒になって箱型形状の空気浄化装置１を形成し得る。空気浄化装置１の側壁は、ファンユニット２の側壁５とフイルタユニット３の側壁６とにより形成され得る。前記フイルタ９は、フイルタユニット３の側壁６の全周に位置するように、空気浄化装置１の側壁に沿って配置され得る。フイルタ９は、フイルタユニット３内のフイルタ９を囲むように、フイルタ９の外側に配置されたグリッドにより保護され得る。オプション的に、このグリッドは、外面が布カバーで覆われ得る。
【００２８】
この実施の形態において、前記フイルタユニット３の側壁６の少なくとも一部は、空気浄化装置１の空気取り入れ部２１を形成し得る。好ましくは、この空気取り入れ部２１は、幾つかの横方向からの空気を取り入れることができるように、空気浄化装置１の周方向に、好ましくは、空気浄化装置１の周りで、３６０°に渡って広がり得る。例えば、空気取り入れ部２１は、フイルタユニット３の側壁６の４つの側面の全部に形成され得る。
【００２９】
この実施の形態において、空気浄化装置１は、空気を空気浄化装置１から上方に（即ち、長軸１００にほぼ沿って）排気するように配設された排気部２２を有し得る。例えば、この排気部２２は、図１並びに２に示されているように、排気グリルの形態で上壁７に形成され得る。この排気グリルは、前記ファン４に使用者の指が接触するのを防止するために、１２mm以上でない複数の開口、例えば、１１mm以上でない複数の開口により形成され得る。
【００３０】
この実施の形態において、空気浄化装置１は、前記ファン４が中に配置されたファンダクト３０を有し得る。例えば、このファンダクト３０は、ファンユニット２に配置され得る。ファンダクト３０は、空気浄化装置１の上方に、即ち、空気浄化装置１の長軸１００に沿って、排気部２２の方に延び得る。このファンダクト３０は、（図２に示されているように）空気浄化装置１内に配置された導管の一部分により形成され得る。
【００３１】
前記ファンダクト３０の例を、図３並びに４を参照して以下に詳細に説明する。図３は、明確にするために空気浄化装置１から分離されたファンダクト３０の斜視図であり、図４は、ファンダクト３０の上面図である。
【００３２】
前記ファンダクト３０は、中間部分３１と、広がった上側部分３３と、広がった下側部分３２とを有し得る。かくして、ファンダクト３０は、両端部で広がっており、中間部分３１は、ファンダクト３０の両端部よりも細い。好ましくは、ファンダクト３０の内面は、円滑であり、鋭いエッジや角などが形成されていない。特に、前記中間部分３１と広がった部分３１，３２との間の移行部は、円滑である。
【００３３】
前記ファン４は、少なくとも一部が前記中間部分３１内に配置され得る。この中間部分３１の直径は、ファン４の直径に（少し小さくなるように）適用し得る。好ましくは、ファン４のブレード３８の高さ（即ち、長軸１００に沿った方向での高さ）は、ファン４の複数のブレード３８間を外れて近くを通る空気の量を少なくするために、前記中間領域３１の高さ（即ち、長さ）と対応するか、少し短くされ得る。かくして、ファン４のブレード３８は、好ましくは、完全に中間部分３１内に収容され得る。例えば、ファン４は、前記中間部分内で中心（少なくとも長軸１００に沿う方向で）に位置され得る。前記ファンダクト３０は、ファンダクト３０内にファン４を支持するように配置された支持構造体３９を有し得る。
【００３４】
この実施の形態では、前記中間部分３１は、ファン４の円形の動作パターンに対応するように、（水平方向で）円形断面を有し得る。更に、ファンダクト３０は、図３並びに４に示されているように、好ましくは丸められたコーナ３５を有する正方形の端部を有し得る。好ましくは、中間部分３１の円形は、ファンダクト３０の両端部に向かう広がった部分に沿って正方形へと徐々に変形され得る。
【００３５】
この実施の形態において、（排気部２２）の所の排気グリルと同様の入口グリル３６（図２に示されている）が、前記ファンダクト３０の下端部に配置され得る。この入口グリルは、前記ファン４に使用者の指が接触するのを防止するために、１２mm以上でない複数の開口、例えば、１１mm以上でない複数の開口により形成され得る。更に、この入口グリル３６の空気取り入れ面積は、例えば、排気グリルよりも多く並びに／もしくは大きい開口により形成することにより、前記排気グリルの空気排気面積よりも大きくし得る。
【００３６】
この実施の形態において、空気浄化装置１は、この空気浄化装置１を通る空気流の空気により運ばれている粒子をイオン化するように配置されたイオン化装置４０を有し得る。このイオン化装置は、例えば、前記ファンダクト３０中に、好ましくは、ファン４の下流側に配置され得る。かくして、イオン化装置４０は、（空気流を参照して）排気部２２の直ぐ前に配置され得る。
【００３７】
代わって、空気浄化装置は、前記イオン化装置がフイルタ並びに／もしくはファンの上流側に配置され得る（図示されず）。
【００３８】
この実施の形態では、前記イオン化装置４０は、チャンバ（イオン化チャンバと称され得る）内に配設され、電圧源に接続可能な少なくとも１つのエミッタ電極４１と、地面もしくは実質上の地面もしくは電圧源に接続可能な少なくとも１つのコレクタプレート電極４２とを有し得る。前記エミッタ電極４１は、例えばカーボンで形成され得るブラシ電極並びに／もしくはピン電極として形成され得る。前記コレクタプレート電極４２は、例えば、側面４３に取着された金属のシート片により形成され得る。前記チャンバは、例えば、ファンダクト３０の上記上側部分３３により形成され得る。チャンバ（例えば、ファンダクト３０全体）は、（モールド成形された）プラスチックにより形成され得る。前記コレクタプレート電極４２は、チャンバの前記側面４３からチャンバの中へと（チャンバのほぼ中心へと）、好ましくは、空気流の主方向（空気浄化装置１の長軸１００にほぼ沿った方向）に沿って（ほぼ平行に）延出され得る。
【００３９】
この実施の形態において、前記イオン化装置４０は、３つのエミッタ電極４１と２つのコレクタプレート電極４２とを有し、空気流中の空気で搬送されている粒子をイオン化するための改良された電界を生じさせる。好ましくは、前記エミッタ電極４１のうちの第１の電極は、エミッタ電極４１のうちの第２の電極と対向するように、配置され得、また、２つのコレクタプレート電極４２のうちの第１の電極は、エミッタ電極４１のうちの第１の電極と、第３の電極との間に配置され得る。この実施の形態では、前記３つのエミッタ電極４１は、好ましくは、正方形のチャンバの４つの丸められたコーナ３５のうちの３つのコーナに配置され得（突出部を形成している）、また、各コレクタプレート電極４２は、２つのエミッタ電極４１間に、図３並びに４に示されているように、４つの側面のチャンバの側面の１つ上に配置され得る。かくして、前記エミッタ電極４１とコレクタプレート電極４２とは、チャンバ内で非対称に配置され、イオン化装置４０によりなされる改良されたイオン化率の優れた効果を奏する。好ましくは、前記エミッタ電極４１とファン４のモータ３７（図２に示さている）との間の距離は、エミッタ電極４１とコレクタプレート電極４２の１つとの間の距離よりも長く、これは、例えばこの例によれば、エミッタ電極４１とコレクタプレート電極４２との配置によりなされる。
【００４０】
電圧が、前記エミッタ電極４１に印加されると、電磁（ＥＭ）界が、エミッタ電極４１とコレクタプレート電極４２との間にほぼ形成される。分子並びに／もしくは空気により搬送されている粒子が、チャンバ内の前記ＥＭ界を通過するときに、これらは、イオン化され得る。この例に係るイオン化装置４０では、前記ＥＭ界の強度は、チャンバの中央よりも側面４３に向かう方が大きくなる。この結果、ＥＭ界は、空気がチャンバ内で多く通過する所に収束され、前記ＥＭ界によりファンのモータ３７に帯電されるリスクが軽減される。
【００４１】
好ましくは、空気浄化装置１は、前記エミッタ電極４１に一定の負の電位を印加するように構成されており、この結果、多くの負のイオン（アニオン）が形成される。好ましくは、約−７kVの電位が印加される。約−２０kVのような低い電位は、オゾンの出力を高くすることができる。しかし、代わって、空気浄化装置に設けられているエミッタ−コレクタ対に交流電圧を印加することは、危険である。
【００４２】
図５を参照して、空気浄化装置１の動作の例を説明する。図５は、部屋２００内の床２０の上に置かれた空気浄化装置１を示す。好ましくは、空気浄化装置１は、部屋２００の壁から離れて配置され得る。ファン２０が動作されているきに、空気は、空気浄化装置１の下部の周りから横方向に空気取り入れ部２１を介して取り入れら、空気が上方と横方向とに排気される排気部２２へとファンダクト３０により上方に導かれる。広がった端部を備えたファンダクト３０の形状により、空気が部屋の形状に良く従うように、図５に示されているように、部屋２００内の空気循環を促進している。空気は、排気部２２から上方と横方向とに向けられ、部屋２００の天井と壁と床２０とに沿って案内され、空気取り入れ部２１を介して下方と横方向とから取り入れられる。この結果、部屋内の循環空気の渦流が減じられ得る。このような改良された空気の循環は、部屋２００内の空気浄化を改良する。
【００４３】
空気は、排出部２２を出る前に、イオン化装置４０を通るので、空気流の空気により運ばれている粒子は、イオン化される。イオン化された粒子の一部は、コレクタプレート電極４２に付着され、また、一部は、空気流に従って空気浄化装置１を出、そして空気浄化装置１の空気取り入れ部２１へと戻り、フイルタに付着される。一部のイオン化された粒子は、互いに付着してクラスターを形成し、このクラスターは、空気流により空気浄化装置１に回収されることができる。前記ファンダクト３０によりなされる改良された空気循環によって、排気されたイオン化粒子とクラスター化した粒子の大部分は、これらが中性化される、部屋２００の天井、壁並びに／もしくは床に付着することがなく、空気浄化装置１に回収される。尚、上記のように壁に付着した粒子は、壁から離れて、再び空気を汚す。更に、イオン化装置４０が、ファン４の下流に配置されているので、ファン４は、イオン化粒子により少ししか（もしくは全く）帯電されない。
【００４４】
実施の形態において、空気浄化装置１は、ファンユニット２をフイルタユニット３の上部に装着させるためのカップリング機構１０を有し得る。このカップリング機構１０を、図６並びに７を参照して以下に詳述する。
【００４５】
カップリング機構１０は、ファンユニット２の側壁５の互いに対向した外面に設けられた２つの解除手段１１（即ち、解除アクチュエータ）を有し得る。これら解除手段１１は、図６並びに７に示されているように、例えば、解除ボタンにより形成されている。代わって、解除手段１１は、例えば、解除レバー等によっても形成され得る。各解除手段１１は、ファンユニット２に配設され、フイルタユニット３に設けられたフイルタ側係合部１３と係合するように構成されている。例えば、前記フイルタ側係合部１３は、凹所を有し得、また、ファン側係合部１２は、前記凹所と合うように形成されたフックのような形状を有し得る。この凹所とフックとは、上記とは逆に形成されていても良い。更に、前記ファン側係合部１２は、解除ボタン１１を押すような、解除手段１１の駆動により非係合位置に移動可能である。この非係合位置では、ファン側係合部１２は、フイルタ側係合部１３とは係合していない。この非係合な位置で、ファンユニット２は、フイルタユニット３から取り外されることができる。ばねのような弾性付勢手段１４が、ファン側係合部１２を、所定位置に付勢するように設けられている。この所定位置では、ファンユニット２がフイルタユニット３上に位置されたときに、ファン側係合部１２は、フイルタ側係合部１３と係合可能である。前記ファン側係合部１２は、プラスチックの同じ片でのモールドされるように、解除手段１１と同じ部材で一体化されることができる。
【００４６】
フイルタユニット３は、ファンユニット２の上部の右側の位置に合うのを確実にするために、ファンユニット２の対応した幾何学的形状部（図示されず）に合うように形成されたエッジ１５のような幾何学形状部を有し得る。
【００４７】
この実施の形態において、フイルタユニット３の全体は、破棄され得る。かくして、空気浄化装置１のフイルタ９の交換のために、フイルタユニット３全体は、新たなフイルタユニットと交換可能である。代わって、フイルタ９は、フイルタユニット３に取り外し可能に装着され得る。この結果、使用者は、フイルタ９をフイルタユニット３から取り外して、新たなフイルタに交換することができる。例えば、フイルタ９は、好ましくは、空気浄化装置１の長軸１００に沿った方向で上方から、フイルタユニット３の側壁６中に摺動可能に配置され得る。
【００４８】
さらに図８を参照して、フイルタ９を交換するための前記カップリング機構１０の操作を説明する。使用者１６は、ファンユニット２の両側を解除手段１１と同時に両手で押し（もしくは他の方法で駆動し）、ファンユニット２を摘まむ（もしくは）掴む。解除手段１１が駆動されると、ファン側係合部は、フイルタ側係合部１３との係合が解除され、使用者は、ファンユニット２をフイルタユニット３から持ち上げることができる。
【００４９】
そして、使用者は、ファンユニット２を新たなフイルタユニットの上部上に置くことができる（フイルタユニット３が使い捨てのフイルタユニット３の場合）。代わって、使用者は、フイルタ９をフイルタユニット３から取り外し、新たなフイルタを挿入することができる（単にフイルタが使い捨ての場合）。
【００５０】
かくして、ファンユニット２は、フイルタユニット３（もしくは新たなフイルタユニット）に再び装着することができる。ファンユニット２とフイルタユニット３とが箱型であり並びに／もしくはエッジ１５があることにより、ファンユニット２をフイルタユニット３上の正確な位置に来るように助けられる（案内される）。オプション的に、解除手段１１は、ファンユニット２がフイルタユニット３と適合し、ファンユニット２がフイルタユニット３上に位置されているときに、使用者により駆動される（例えば、押される）ことができる。代わって、前記ファン側係合部１２は、（図７に示されるように）スレートエッジ（slated edge）を有することができる。この結果、前記凹所１３を作動させたときに、ファン側係合部１２は、自動的に非係合の位置に押され得る。かくして、使用者は、ファンユニット２をフイルタユニット３の上に戻すときに、解除手段１１を駆動させる必要がなくなり得る。
【００５１】
この分野のものは、この発明が、上記実施の形態に限定されることを意味していないことは、理解できる。反対に、多くの変更並びに変形が、添付の特許請求の範囲内で可能である。
【００５２】
例えば、この空気清浄装置は、異なった形態のエミッタ電極並びに／もしくはコレクタプレート電極を備えたイオン化装置のように、異なったイオン化装置（もしくは、イオン化装置が全くない）を有し得る。
【００５３】
更に、この空気清浄装置は、広がりがないダクトもしくは他の形式のファンダクトのような異なるファンダクトを有し得る（ファンが無くても、全くファンダクトが無くても良い）。
【００５４】
必ずしも２つの部分（ファンユニットとフイルタユニット）に構成上分ける必要がないか、または、ねじまたはボルトを使用した結合メカニズムのような異なる結合メカニズムか、他の既知の結合メカニズムを有し得る（結合メカニズムを有さなくても良い）。
【００５５】
代わって、上述した実施の形態に対する変形例は、図面、記載、並びに添付の特許請求の範囲を検討することにより、請求項に係る本願発明は、当業者により理解されると共に実施可能である。請求項において、「具備する（comprising）」という用語は、他の部材もしくは工程を除外するものではなく、また、「冠詞"a"もしくは"an"」は、複数を除外するものではない。所定の構成が互いに異なる従属請求項に記載されていても、これら構成の組合せが効果を得るために使用され得ないことを示すものでは無い。
【図１】
2015150556.tif 000003
【図２】
2015150556.tif 000004
【図３】
2015150556.tif 000005
【図４】
2015150556.tif 000006
【図５】
2015150556.tif 000007
【図６】
2015150556.tif 000008
【図７】
2015150556.tif 000009
【図８】
2015150556.tif 000010
【外国語明細書】
2015150556000001.pdf